(57)【特許請求の範囲】
【請求項１】
インタラクティブに補助セルを選択する方法であって、
端末が、マスターセルを選択し、マスターセルとのデータインタラクションを行って、隣接セルのリストを取得するステップと、
端末が、隣接セルのリストにおけるセルのマルチポイント協調状態情報を測定し、測定結果に応じて評価を行って、マルチポイント協調補助セルの候補リストを生成するステップと、
端末が、マルチポイント協調動作のサービスを開始する場合に、候補リストをマスターセルに送信するステップと、
マスターセルが、候補リストにおけるセルに対してアクティベーションストラテジを行って、前記端末のマルチポイント協調動作の補助セルを取得し、補助セルのアクティベーションリストを端末に送信するステップと、
マルチポイント協調動作サービスが終了するまで、端末がアクティベーションリストを維持するステップと
を含み、
端末が補助セルのアクティベーションリストを維持する前に、前記方法は、
端末が、リアルタイムな測定及び評価に応じて、候補リストにおけるセルがアクティベーションリストにおける補助セルになる条件に達したことを検出した場合、又は、アクティベーションリストにおけるセルが補助セルとしての条件を満たさなくなったことを検出した場合、提案レポートをマスターセルに送信し、マスターセルが、ストラテジを介して、補助セルを追加するか又は削除するかを判定し、その後、判定結果を端末に送信し、最後に、端末が、判定結果に応じて、補助セルのアクティベーションリストを維持するステップを更に含む
ことを特徴とするインタラクティブに補助セルを選択する方法。
【請求項２】
前記端末がマスターセルを選択する前に、前記方法は、
隣接するセルが、互いに、マルチポイント協調状態情報を送信するステップと、
各セルが、前記マルチポイント協調状態情報を受信した後、そのセルによって維持された隣接セルマルチポイント協調状態情報を更新し、マルチポイント協調動作をサポートする隣接セルを確定するステップと、
各セルが、各セル自身のマルチポイント協調状態情報を周期的に測定し、マルチポイント協調動作をサポートする隣接セルにマルチポイント協調状態情報を送信し、隣接セルが、測定された前記マルチポイント協調状態情報を周期的に受信した後、隣接セル自身に記憶された隣接セルのリストを更新するステップと
を更に含むことを特徴とする請求項１に記載の方法。
【請求項３】
前記マルチポイント協調状態情報は、
セルのマルチポイント協調動作プロパティ、及び、マルチポイント協調動作に関連するセルの性能パラメータを含む
ことを特徴とする請求項１に記載の方法。
【請求項４】
前記測定結果に応じて評価を行ってマルチポイント協調補助セルの候補リストを生成するステップは、
マルチポイント協調動作に関連するセルの性能パラメータに基づいて、選択アルゴリズムを用いてマルチポイント協調動作の性能値を算出し、性能値の高低に従って補助セルの候補リストを生成するステップを含み、
セルの性能値が高ければ高いほど、補助セルの候補リストにおける優先度が高い
ことを特徴とする請求項１に記載の方法。
【請求項５】
前記アクティベーションストラテジは、
マルチポイント協調動作に関連する候補リストにおけるセルの性能パラメータを指標として、選択アルゴリズムを用いて、性能値が閾値に達したセルを補助セルとして確定することを含む
ことを特徴とする請求項１に記載の方法。
【請求項６】
インタラクティブに補助セルを選択するシステムであって、前記システムは、端末とマスターセルを含み、
前記端末は、マスターセルを選択し、マスターセルとのデータインタラクションを行って隣接セルのリストを取得し、隣接セルのリストにおけるセルのマルチポイント協調状態情報を測定し、測定結果に応じて評価を行ってマルチポイント協調補助セルの候補リストを生成し、候補リストをマスターセルに送信し、マルチポイント協調動作サービスが終了するまでアクティベーションリストを維持し、
前記マスターセルは、候補リストにおけるセルに対してアクティベーションストラテジを行って、前記端末のマルチポイント協調動作の補助セルを取得し、補助セルのアクティベーションリストを端末に送信し、
前記端末は、リアルタイムな測定及び評価に応じて、候補リストにおけるセルがアクティベーションリストにおける補助セルになる条件に達したことを検出した場合、又は、アクティベーションリストにおけるセルが補助セルとしての条件を満たさなくなったことを検出した場合、提案レポートをマスターセルに送信し、
前記マスターセルは、ストラテジを介して、補助セルを追加するか又は削除するかを判定し、その後、判定結果を端末に送信する
ことを特徴とするインタラクティブに補助セルを選択するシステム。
【請求項７】
前記システムは、１つ以上の隣接セルを更に含み、
前記隣接セルは、マスターセル及び別の隣接セルとの間で、互いに、マルチポイント協調状態情報を送信し、隣接セル自身のマルチポイント協調状態情報を周期的に測定し、マスターセルにマルチポイント協調状態情報を送信し、
前記マスターセルは、隣接セルのマルチポイント協調状態情報を受信した後、マスターセルによって維持された隣接セルマルチポイント協調状態情報を更新し、マルチポイント協調動作をサポートする隣接セルを確定し、マスターセル自身のマルチポイント協調状態情報を周期的に測定し、マルチポイント協調動作をサポートする隣接セルにマルチポイント協調状態情報を送信し、隣接セルによって測定された前記マルチポイント協調状態情報を周期的に受信した後、マスターセル自身に記憶された隣接セルのリストを更新する
ことを特徴とする請求項６に記載のシステム。
【請求項８】
前記マルチポイント協調状態情報は、
セルのマルチポイント協調動作プロパティ、及びマルチポイント協調動作に関連するセルの性能パラメータを含む
ことを特徴とする請求項６に記載のシステム。
【発明の詳細な説明】
【技術分野】
【０００１】
本発明は、マルチポイント協調転送及び受信技術における補助セルの選択に関し、特に、インタラクティブに補助セルを選択する方法及びシステムに関する。
【背景技術】
【０００２】
マルチポイント協調送受信（Ｃｏｏｒｄｉｎａｔｅｄ  Ｍｕｌｔｉｐｌｅ  Ｐｏｉｎｔ  Ｔｒａｎｓｍｉｓｓｉｏｎ  ａｎｄ  Ｒｅｃｅｐｔｉｏｎ）技術は、エッジユーザのスループット、エッジユーザの周波数利用率及びシステムの全体的性能に対するロング・ターム・エボリューション（Ｌｏｎｇ  Ｔｅｒｍ  Ｅｖｏｌｕｔｉｏｎ：ＬＴＥ）システムの要求を更に満足させるために提案された。また、この技術は、第３世代パートナーシッププロジエクト（３ｒｄ  Ｇｅｎｅｒａｔｉｏｎ  Ｐａｒｔｎｅｒｓｈｉｐ  Ｐｒｏｊｅｃｔ：３ＧＰＰ）によって、ＬＴＥシステムの後継システムであるＬＴＥ−ａｄｖａｎｃｅｄシステムの技術的フレームワークの重要な要素に指定されている。当該技術のコア思想は、空間的に隣接性を持つ複数の伝送ポイントによって、同時に１つ又は複数のユーザにサービスを提供するというものである。
【０００３】
図１は、セルラネットワークにおけるマルチポイント協調送受信技術を示す図である。図１に示すように、基地局Ａは、基地局Ａ−セル１、基地局Ａ−セル２、基地局Ａ−セル３の３つのセルを制御しており、基地局Ｂは、基地局Ｂ−セル１、基地局Ｂ−セル２の２つのセルを制御している。ここで、端末１は、端末１に隣接する、基地局Ａ−セル１、基地局Ａ−セル２、基地局Ａ−セル３によってサービスが提供され、端末２は、端末２に隣接する、基地局Ｂ−セル１、基地局Ｂ−セル２及び基地局Ａ−セル３によってサービスが提供される。
【０００４】
従来のＬＴＥネットワークフレームワークとデザインコンセプトに比べ、マルチポイント協調送受信技術による最も大きい変化は、端末（Ｕｓｅｒ  Ｅｑｕｉｐｍｅｎｔ：ＵＥ）が、同時に空間的に隣接する複数のセルとデータの送受信動作を行うという点にある。この場合、位置的に分散されており、かつ、独立して動作する複数のセルの間の協同作業をどのようにして協調するのかが非常に重要である。このため、集中管理の概念を導入する必要があり、従って、マスターセルと補助セルが存在する。前記マスターセルは、全ての協同作業セルの選択、状態収集、分析、スケジューリングの割り当て等を担う役割を有しており、同時にユーザとのデータインタラクションを行う。従って、マスターセルは、機能が比較的複雑である。一方、前記補助セルは、マスターセルとの間で補助セル自身の状態のインタラクションを完了したり、ユーザとのデータインタラクションを行ったりするといった役割を主に有している。このことから理解されるように、補助セルは、機能が比較的簡単である。加えて、一定の条件の下で、マスターセル及び補助セルの両者の役割は互換することができ、同一セルは、異なる端末に対して、同時に異なる２つの役割を担当することが可能である。例えば、図１に示すように、基地局Ａ−セル３は、端末１のマスターセルであるとともに、端末２の補助セルでもある。
【０００５】
マルチポイント協調送受信技術を用いるサービスがトリガーされた場合、一般的に、端末は、現在において滞在しているセルをマスターセルとして選択する。しかし、セルラネットワークにおいては、マスターセルは多くの隣接セルを有している。従って、マルチポイント協調動作に関与する補助セルとしての適切な隣接セルをどのようにして選択するのかが現在最も解決しなければならない問題である。
【発明の概要】
【発明が解決しようとする課題】
【０００６】
これに鑑みて、本発明の主な目的は、マルチポイント協調動作において、補助セルとしての適切な隣接セルをどのようにして選択するかについての問題を解決するための、インタラクティブに補助セルを選択する方法及びシステムを提供することにある。
【課題を解決するための手段】
【０００７】
前記目的を実現するために、本発明の技術的スキームは以下のように実現される。
本発明は、インタラクティブに補助セルを選択する方法を提供する。
前記方法は、
端末が、マスターセルを選択し、マスターセルとのデータインタラクションを行って、隣接セルのリストを取得するステップと、
端末が、隣接セルのリストにおけるセルのマルチポイント協調状態情報を測定し、測定結果に応じて評価を行って、マルチポイント協調補助セルの候補リストを生成するステップと、
端末が、マルチポイント協調動作のサービスを開始する場合に、候補リストをマスターセルに送信するステップと、
マスターセルが、候補リストにおけるセルに対してアクティベーションストラテジを行って、前記端末のマルチポイント協調動作の補助セルを取得し、補助セルのアクティベーションリストを端末に送信するステップと、
マルチポイント協調動作サービスが終了するまで、端末がアクティベーションリストを維持するステップとを含む。
【０００８】
ここで、端末が補助セルのアクティベーションリストを維持する前に、前記方法は、
端末が、リアルタイムな測定及び評価に応じて、候補リストにおけるセルがアクティベーションリストにおける補助セルになる条件に達したことを検出した場合、又は、アクティベーションリストにおけるセルが補助セルとしての条件を満たさなくなったことを検出した場合、提案レポートをマスターセルに送信し、マスターセルが、ストラテジを介して、補助セルを追加するか又は削除するかを判定し、その後、判定結果を端末に送信し、最後に、端末が、判定結果に応じて、補助セルのアクティベーションリストを維持するステップを更に含む。
【０００９】
ここで、前記端末がマスターセルを選択する前に、前記方法は、
隣接するセルが、互いに、マルチポイント協調状態情報を送信するステップと、
各セルが、前記マルチポイント協調状態情報を受信した後、そのセルによって維持された隣接セルマルチポイント協調状態情報を更新し、マルチポイント協調動作をサポートする隣接セルを確定するステップと、
各セルが、各セル自身のマルチポイント協調状態情報を周期的に測定し、マルチポイント協調動作をサポートする隣接セルにマルチポイント協調状態情報を送信し、隣接セルが、測定された前記マルチポイント協調状態情報を周期的に受信した後、隣接セル自身に記憶された隣接セルのリストを更新するステップとを更に含む。
【００１０】
ここで、前記マルチポイント協調状態情報は、セルのマルチポイント協調動作プロパティ、及び、マルチポイント協調動作に関連するセルの性能パラメータを含む。
【００１１】
ここで、前記測定結果に応じて評価を行ってマルチポイント協調補助セルの候補リストを生成するステップは、マルチポイント協調動作に関連するセルの性能パラメータに基づいて、選択アルゴリズムを用いてマルチポイント協調動作の性能値を算出し、性能値の高低に従って補助セルの候補リストを生成するステップを含み、セルの性能値が高ければ高いほど、補助セルの候補リストにおける優先度が高い。
【００１２】
ここで、前記アクティベーションストラテジは、マルチポイント協調動作に関連する候補リストにおけるセルの性能パラメータを指標として、選択アルゴリズムを用いて、性能値が閾値に達したセルを補助セルとして確定することを含む。
【００１３】
本発明は、インタラクティブに補助セルを選択するシステムを更に提供する。前記システムは、端末とマスターセルを含む。
前記端末は、マスターセルを選択し、マスターセルとのデータインタラクションを行って隣接セルのリストを取得し、隣接セルのリストにおけるセルのマルチポイント協調状態情報を測定し、測定結果に応じて評価を行ってマルチポイント協調補助セルの候補リストを生成し、候補リストをマスターセルに送信し、マルチポイント協調動作サービスが終了するまでアクティベーションリストを維持する。
前記マスターセルは、候補リストにおけるセルに対してアクティベーションストラテジを行って、前記端末のマルチポイント協調動作の補助セルを取得し、補助セルのアクティベーションリストを端末に送信する。
【００１４】
ここで、前記端末は、リアルタイムな測定及び評価に応じて、候補リストにおけるセルがアクティベーションリストにおける補助セルになる条件に達したことを検出た場合、又は、アクティベーションリストにおけるセルが補助セルとしての条件を満たさなくなったことを検出した場合、提案レポートをマスターセルに送信し、
前記マスターセルは、ストラテジを介して、補助セルを追加するか又は削除するかを判定し、その後、判定結果を端末に送信する。
【００１５】
ここで、前記システムは、１つ以上の隣接セルを更に含み、
前記隣接セルは、マスターセル及び別の隣接セルとの間で、互いに、マルチポイント協調状態情報を送信し、隣接セル自身のマルチポイント協調状態情報を周期的に測定し、そしてマスターセルにマルチポイント協調状態情報送信し、
前記マスターセルは、隣接セルのマルチポイント協調状態情報を受信した後、マスターセルによって維持された隣接セルマルチポイント協調状態情報を更新し、マルチポイント協調動作をサポートする隣接セルを確定し、マスターセル自身のマルチポイント協調状態情報を周期的に測定し、マルチポイント協調動作をサポートする隣接セルにマルチポイント協調状態情報を送信し、隣接セルによって測定された前記マルチポイント協調状態情報を周期的に受信した後、マスターセル自身に記憶された隣接セルのリストを更新する。
【００１６】
本発明に係るインタラクティブに補助セルを選択する方法及びシステムでは、端末が、マスターセルを選択し、マスターセルとのデータインタラクションを行って隣接セルのリストを取得する。また、端末が、隣接セルのリストにおけるセルのマルチポイント協調状態情報を測定し、測定結果に応じて評価を行って、マルチポイント協調補助セルの候補リストを生成する。また、端末が、マルチポイント協調動作のサービスを開始する場合に、候補リストをマスターセルに送信する。さらに、マスターセルが、候補リストにおけるセルに対してアクティベーションストラテジを行って、前記端末のマルチポイント協調動作の補助セルを取得し、そして補助セルのアクティベーションリストを端末に送信する。また、端末が、マルチポイント協調動作サービスが終了するまで、アクティベーションリストを維持する。本発明によれば、端末とマスターセルとのインタラクションを介して、好ましい隣接セルが補助セルとして選択される。これは、マルチポイント協調動作のサービス品質、補助セルのエッジスループット及び周波数の使用効率を向上させるために役立ち、ユーザの体験が更に向上する。
【図面の簡単な説明】
【００１７】
【図１】セルラネットワークにおけるマルチポイント協調送受信技術を示す図である。
【図２】本発明に係るインタラクティブな補助セルの選択が行われる前における、各セルの隣接セル状態情報の更新方法を示すフローチャートである。
【図３】本発明に係るインタラクティブに補助セルを選択する方法のフローチャートである。
【図４】本発明に係るインタラクティブに補助セルを選択するシステムの構造を示す図である。
【発明を実施するための形態】
【００１８】
本発明の基本的着想は、以下の様なものである。すなわち、端末が、マスターセルを選択し、マスターセルとのデータインタラクションを行って、隣接セルのリストを取得する。また、端末が、隣接セルのリストにおけるセルのマルチポイント協調状態情報を測定し、測定結果に応じて評価を行ってマルチポイント協調補助セルの候補リストを生成する。また、端末が、マルチポイント協調動作のサービスを開始する場合に、候補リストをマスターセルに送信する。マスターセルが、候補リストにおけるセルに対してアクティベーションストラテジを行って、前記端末のマルチポイント協調動作の補助セルを取得し、そして補助セルのアクティベーションリストを端末に送信する。端末が、マルチポイント協調動作サービスが終了するまで、アクティベーションリストを維持する。
【００１９】
以降では、添付図面と具体的な実施形態を合わせて本発明の技術的スキームを更に詳しく説明する。
【００２０】
図２は、本発明に係るインタラクティブな補助セルの選択が行われる前における、各セルの隣接セル状態情報の更新方法を示すフローチャートである。図２に示すように、前記隣接セル状態情報を更新する方法は、具体的に以下のステップを含む。
【００２１】
ステップ２０１：セル確立が成功した後、セルと隣接セルとの接続を確立する。
【００２２】
具体的には、セル確立が成功した後、前記セルが、セルに記憶された隣接セルのリストに応じて、Ｘ２インターフェースを介して、隣接する１つ又は複数のセルとの接続を確立する。
【００２３】
ステップ２０２：隣接するセルが、互いに、マルチポイント協調状態情報を送信する。
【００２４】
具体的に、前記マルチポイント協調状態情報は、当該セルのマルチポイント協調動作プロパティ以外にも、更に、当該セルのチャネル品質情報、隣接セル信号の干渉による度合い及び当該セル内の端末によって生成された干渉レベル等のマルチポイント協調動作に関連する当該セルの性能パラメータを含む。ここで、前記マルチポイント協調動作プロパティは、当該セルがマルチポイント協調動作をサポートすることを示す情報、又は当該セルがマルチポイント協調動作をサポートしないこと示す情報を含む。
【００２５】
ステップ２０３：前記マルチポイント協調状態情報を受信した後、当該セルによって維持された隣接セルのマルチポイント協調状態情報を更新し、マルチポイント協調動作をサポートする隣接セルを確定する。
【００２６】
具体的には、当該セルによって維持された隣接セルのマルチポイント協調状態情報の更新は、具体的に、当該セルの隣接セルのリストに記憶されたマルチポイント協調状態情報を更新することで完了される。前記マルチポイント協調状態情報にはマルチポイント協調動作プロパティが含まれるため、前記マルチポイント協調状態情報を受信したセルは、マルチポイント協調動作をサポートする隣接セルを検出することができる。
【００２７】
ステップ２０４：各セルが、各セル自身のマルチポイント協調状態情報を周期的に測定し、そしてインクリメンタルな更新の方式で、マルチポイント協調動作をサポートする隣接セルにマルチポイント協調状態情報を送信する。
【００２８】
具体的には、前記測定の期間は、セル変化の速さに応じて設定することができ、一般的に、時間単位での期間で測定が行われる。前記マルチポイント協調状態情報は、具体的に、当該セルのマルチポイント協調動作プロパティと、マルチポイント協調動作に関連する当該セルの性能パラメータとを含む。前記インクリメンタルな更新の方式は、具体的に、最初に隣接セルのリストを設定した後、変更されたマルチポイント協調状態情報のみを隣接セルに送信するというものである。
【００２９】
ステップ２０５：隣接セルが、測定された前記マルチポイント協調状態情報を周期的に受信した後、隣接セルのマルチポイント協調状態情報が記憶された隣接セルのリストを更新する。
【００３０】
具体的に、前記隣接セルのマルチポイント協調状態情報は、隣接セルのリストに記憶される。
【００３１】
更に、図２に示される方法のプロセスにおいて、当該セルと隣接セルは、相対的なものであり、各セルは、自身を当該セルとして、自身に隣接するセルと前記プロセスを実行することができる。
【００３２】
図３は、本発明に係るインタラクティブに補助セルを選択する方法のフローチャートである。図３に示すように、前記補助セルを選択する方法は、具体的に以下のステップを含む。
【００３３】
ステップ３０１：端末が電源投入されてマスターセルを選択する。
【００３４】
具体的には、電源投入された端末は、１つの滞在セルを選択する。この滞在セルが、マルチポイント協調動作におけるデフォルトのマスターセルとされる。
【００３５】
ステップ３０２：端末がマスターセルとのデータインタラクションを行って、マスターセルに記憶された隣接セルのリストを取得する。
【００３６】
具体的には、前記端末がマスターセルとのデータインタラクションを行って、マスターセルに記憶された隣接セルのリストを取得し、隣接セルのマルチポイント協調状態情報を取得するようにする。
【００３７】
ステップ３０３：端末が、隣接セルのリストにおけるセルのマルチポイント協調状態情報を測定し、測定結果に応じて評価を行ってマルチポイント協調の補助セルの候補リストを生成する。そして前記リストを周期的に更新する。
【００３８】
具体的には、端末が自身の余力を利用して隣接セルのリストにおけるセルを測定する。前記余力とは、端末が必要な通話、データインタラクション等の動作を行うときに使用されるシステムリソース以外の、余りの利用可能なシステムリソースである。前記測定のオブジェクトは、隣接セルのリストにおけるセルのマルチポイント協調状態情報であり、具体的には、測定オブジェクト（マルチポイント協調状態情報）は、セルのマルチポイント協調動作プロパティ、及びマルチポイント協調動作に関連するセルの性能パラメータを含む。前記性能パラメータは、例えば、セルのチャネル品質情報、他の隣接セル信号の干渉による度合い及びセル内の端末によって生成された干渉レベル等である。前記評価とは、測定によって得られた、マルチポイント協調動作に関連する隣接セルリストにおけるセルの性能パラメータに基づいて、完了される評価のことである。各性能パラメータに基づいて、選択アルゴリズムを用いてマルチポイント協調動作の性能値が算出され、性能値の高低に従って、補助セルの候補リストが生成される。セルの性能値が高ければ高いほど、補助セルの候補リストにおける優先度が高いことが好ましい。例えば、性能値を計算するとき、セルのチャネル品質がよければよいほど性能値が高く、他の隣接セル信号の干渉による度合いが低ければ低いほど性能値が高く、セル内の端末によって生成された干渉レベルが低ければ低いほど性能値が高い。
【００３９】
前記補助セルの候補リストの周期的な更新は、周期的な測定及び評価によって完了される。測定及び評価によって、補助セルの候補リストに存在しないセルが補助セルの候補となる条件に達したことが検出された場合、又は、補助セルの候補リストに存在するセルが補助セルの候補としての条件を満たさなくなったことが検出された場合、補助セルの候補リストが更新される。前記周期的な更新は、一般的に、分単位の更新期間が採用される。
【００４０】
ステップ３０４：端末が、マルチポイント協調動作のサービスを開始する場合に、端末が補助セルの候補リストをマスターセルに送信する。
【００４１】
ステップ３０５：マスターセルが補助セルの候補リストにおけるセルに対してアクティベーションストラテジを行って、前記端末のマルチポイント協調動作の補助セルを取得し、そして、補助セルのアクティベーションリストを端末に送信する。
【００４２】
具体的には、前記アクティベーションストラテジは、マルチポイント協調動作に関連する候補リストにおけるセルの性能パラメータを指標として、選択アルゴリズムを用いて、性能値が閾値に達したセルを補助セルとして確定するというものである。そして、閾値に達した補助セルのセルを用いて、補助セルのアクティベーションリストを作成して端末に送信する。ここで、前記閾値は、予めシミュレーションテストとデバッグによって確定されてもよい。
【００４３】
ステップ３０６：マルチポイント協調動作サービスが終了するまで、端末が補助セルのアクティベーションリストを維持する。
【００４４】
具体的には、前記維持動作は、インクリメンタルな更新の方式でマスターセルによって送信された更新情報を受信し、補助セルのアクティベーションリストを更新するというものである。
【００４５】
更に、ステップ３０６の前に、当該方法は、以下のステップを含んでいてもよい。端末が、リアルタイムな測定及び評価を行うことで、候補リストにおけるセルがアクティベーションリストにおける補助セルになる条件に達したことを検出した場合、又は、アクティベーションリストにおけるセルが補助セルとしての条件を満たさなくなったことを検出した場合、提案レポートをマスターセルに送信する。そして、マスターセルが、ストラテジを介して、補助セルを追加するか又は削除するかを判定し、そして、判定結果を端末に送信する。最後に、端末が、判定結果に基づいて補助セルのアクティベーションリストを維持する。ここで、前記マスターセルストラテジの判定の標準は、ステップ３０５におけるアクティベーションストラテジと同じ標準が採用されてもよい。前記端末がリアルタイムな測定と評価を行う対象は、マルチポイント協調状態情報以外に、更に、サービスエラー率、ＱｏＳ（Ｑｕａｌｉｔｙ  ｏｆ  Ｓｅｒｖｉｃｅ）パラメータ等を含む。
【００４６】
図４は、本発明に係るインタラクティブに補助セルを選択するシステムの構造を示す図である。図４に示すように、前記システムは、端末４１とマスターセル４２を含む。
【００４７】
前記端末４１は、マスターセル４２を選択し、マスターセル４２とのデータインタラクションを行って隣接セルのリストを取得し、隣接セルのリストにおけるセルのマルチポイント協調状態情報を測定する。また、端末４１は、測定結果に応じて評価を行ってマルチポイント協調補助セルの候補リストを生成し、候補リストをマスターセル４２に送信する。そして、端末４１は、マルチポイント協調動作サービスが終了するまでアクティベーションリストを維持する。
【００４８】
具体的には、端末４１は、電源投入された後、１つの滞在セルを選択する。前記滞在セルがマルチポイント協調動作におけるデフォルトのマスターセル４２とされる。前記端末４１は、マスターセル４２とデータインタラクションを行って、マスターセル４２に記憶された隣接セルのリストを取得し、隣接セルのマルチポイント協調状態情報を取得する。
【００４９】
端末４１は、自身の余力を利用して隣接セルのリストにおけるセルを測定する。前記余力とは、端末４１が必要な通話、データインタラクション等動作を行うときに使用されるシステムリソース以外の、余りの利用可能なシステムリソースである。前記測定のオブジェクトは、隣接セルのリストにおけるセルのマルチポイント協調状態情報であり、具体的には、測定オブジェクト（マルチポイント協調状態情報）は、セルのマルチポイント協調動作プロパティ、及びマルチポイント協調動作に関連するセルの性能パラメータを含む。前記性能パラメータは、例えば、セルのチャネル品質情報、他の隣接セル信号の干渉による度合い及びセル内の端末によって生成された干渉レベル等である。前記評価とは、測定によって得られた、マルチポイント協調動作に関連する隣接セルのリストにおけるセルの性能パラメータに基づいて、完了される評価のことである。好ましい方式では、各性能パラメータに基づいて、選択アルゴリズムを用いてマルチポイント協調動作の性能値が算出され、性能値の高低に従って、補助セルの候補リストが生成される。ここで、セルの性能値が高ければ高いほど、補助セルの候補リストにおける優先度が高い。
【００５０】
前記補助セルの候補リストの周期的な更新は、周期的な測定及び評価によって完了される。測定及び評価によって、候補リストに存在しないセルが補助セルの候補になる条件に達したことが検出された場合、又は、候補リストに存在するセルが補助セルの候補としての条件を満たさなくなったことが検出された場合、補助セルの候補リストが更新される。前記周期的な更新は、一般的に、分単位の更新期間が採用される。
【００５１】
端末４１がマルチポイント協調動作のサービスを開始するとき、端末４１が補助セルの候補リストをマスターセル４２に送信する。前記維持動作とは、インクリメンタルな更新方式でマスターセル４２によって送信された更新情報を受信し、補助セルのアクティベーションリストを更新するというものである。
【００５２】
前記マスターセル４２は、候補リストにおけるセルに対してアクティベーションストラテジを行って前記端末４１のマルチポイント協調動作の補助セルを取得し、そして補助セルのアクティベーションリストを端末４１に送信する。
【００５３】
具体的には、前記アクティベーションストラテジは、マルチポイント協調動作に関連する候補リストにおけるセルの性能パラメータを指標として、選択アルゴリズムを用いて性能値が閾値に達したセルを補助セルとして確定するというものである。そして、閾値に達した補助セルのセルを用いて補助セルのアクティベーションリストを作成して端末４１に送信する。ここで、前記閾値は予めシミュレーションテストとデバッグによって確定されてもよい。
【００５４】
更に、前記端末４１は、リアルタイムな測定及び評価に応じて、候補リストにおけるセルがアクティベーションリストにおける補助セルになる条件に達したことを検出した場合、又は、アクティベーションリストにおけるセルが補助セルとしての条件を満たさなくなったことを検出した場合、提案レポートをマスターセル４２に送信する。
【００５５】
前記マスターセルは、ストラテジを介して、補助セルを追加するか又は削除するかを判定し、その後、判定結果を端末４１に送信する。
【００５６】
具体的には、前記ストラテジ判定の標準はアクティベーションストラテジと同じ標準が採用されてもよい。
【００５７】
更に、前記システムは、１つ以上の隣接セル４３を更に含む。
前記隣接セル４３は、マスターセル４２及び別の隣接セル４３との間で、互いに、マルチポイント協調状態情報を送信し、隣接セル自身のマルチポイント協調状態情報を周期的に測定し、インクリメンタルな更新の方式でマスターセル４２にマルチポイント協調状態情報を送信する。
【００５８】
具体的に、マスターセル４２又は隣接セル４３における確立が成功した後、マスターセル４２又は隣接セル４３は、自身に記憶された隣接セルのリストに応じて、Ｘ２インターフェースを介して互いに接続を確立する。前記マルチポイント協調状態情報は、当該セルのマルチポイント協調動作プロパティ以外にも、更に、当該セルのチャネル品質情報、隣接セル信号の干渉による度合い及び当該セル内の端末によって生成された干渉レベル等のマルチポイント協調動作に関連する当該セルの性能パラメータを含む。ここで、前記マルチポイント協調動作プロパティは、当該セルがマルチポイント協調動作をサポートすることを示す情報、又は当該セルがマルチポイント協調動作をサポートしないことを示す情報を含む。
【００５９】
前記測定の期間は、セル変化の速さに応じて設定することができ、一般的に、時間単位での期間で測定が行われる。前記マルチポイント協調状態情報は、具体的に、隣接セル４３のマルチポイント協調動作プロパティとマルチポイント協調動作に関連する隣接セル４３の性能パラメータを含む。前記インクリメンタルな更新の方式は、具体的に、最初に隣接セルのリストを設定した後、変更されたマルチポイント協調状態情報のみをマスターセル４２に送信するというものである。
【００６０】
前記マスターセル４２は、隣接セル４３の協調状態情報を受信した後、マスターセル４２によって維持された隣接セルマルチポイント協調状態情報を更新し、マスターセル協調動作をサポートする隣接セル４３を確定する。また、マスターセル４２は、マスターセル自身のマルチポイント協調状態情報を周期的に測定し、インクリメンタルな更新の方式でマスターセル協調動作をサポートする隣接セル４３にマルチポイント協調状態情報を送信する。そして、マスターセル４２は、隣接セル４３によって測定された前記マルチポイント協調状態情報を周期的に受信した後、マスターセル自身に記憶された隣接セルのリストを更新する。
【００６１】
具体的には、マスターセル４２によって維持された隣接セルのマルチポイント協調状態情報の更新は、具体的に、マスターセル４２の隣接セルのリストに記憶されたマルチポイント協調状態情報を更新することによって完了される。前記マルチポイント協調状態情報にはマルチポイント協調動作プロパティが含まれるため、前記マルチポイント協調状態情報を受信したセルは、マルチポイント協調動作をサポートする隣接セル４３を検出することができる。
【００６２】
前記測定の期間は、セル変化の速さに応じて設定することができ、一般的に、時間単位での期間で測定が行われる。前記マルチポイント協調状態情報は、具体的に、マスターセル４２のマルチポイント協調動作プロパティとマルチポイント協調動作に関連するマスターセル４２の性能パラメータを含む。前記インクリメンタルな更新の方式は、具体的に、最初に隣接セルのリストを設定した後、変更されたマルチポイント協調状態情報のみを隣接セル４３に送信するというものである。
【００６３】
以上の説明は、本発明の好適な実施形態に過ぎず、本発明を限定するものではない。当業者にとっては、本発明に基づく種々の変更と変形が可能である。本発明の趣旨及び範囲を逸脱することなく実施されたあらゆる修正、同等の置換及び改良等は、すべて本発明の保護範囲に属する。
【図２】
0005531164.tif 000002
【図３】
0005531164.tif 000003
【図４】
0005531164.tif 000004
【図１】
0005531164.tif 000005